(57)【要約】【課題】ＦＰＣケーブルを接続するコネクタに無理な力が作用することを抑制するとともに、ノイズや静電気の伝達を抑制する。【解決手段】第１接続部３０ａは基板の所定面２０ａに取り付けられ、第２接続部３０ｂはＦＰＣケーブル４０の第２端４２に取り付けられ、ＦＰＣケーブルは、自然状態において、第１端４１から直線状に延びる第１部４４と、第１部から曲がった後に直線状に延びる第２部４５と、第２部から第１部と反対方向に曲がって第２端まで延びる第３部４６とを備え、第１部が第１端から基板に対して所定面と反対側へ延びるように、第１端が固定され、第１部は、基板に対して所定面と反対側へ延びた後に、基板に対して所定面側へ延びるように曲げられ、さらに所定面に間隔をおいて対向するように曲げられ、第２部及び第３部は、所定面に間隔をおいて対向し、第１接続部に第２接続部が嵌合している。【選択図】      図５
2019102472.tif 000002
【特許請求の範囲】
【請求項１】
第１端の固定されたＦＰＣケーブルの第２端と基板とを、互いに嵌合する第１接続部及び第２接続部を備えるコネクタにより接続する接続構造であって、
前記第１接続部は、前記第１接続部に対する前記第２接続部の嵌合方向が前記基板に平行になるように、前記基板の所定面に取り付けられ、
前記第２接続部は、前記ＦＰＣケーブルの前記第２端に取り付けられ、
前記ＦＰＣケーブルは、自然状態において、前記第１端から直線状に延びる第１部と、前記第１部から曲がった後に直線状に延びる第２部と、前記第２部から前記第１部と反対方向に曲がって前記第２端まで延びる第３部とを備え、
前記第１端は、前記基板から前記嵌合方向と反対方向へ所定距離の位置で固定され、
前記第１部が前記第１端から前記基板に対して前記所定面と反対側へ延びるように、前記第１端が固定され、
前記第１部は、前記基板に対して前記所定面と反対側へ延びた後に、前記基板に対して前記所定面側へ延びるように曲げられ、さらに前記所定面に間隔をおいて対向するように曲げられ、
前記第２部及び前記第３部は、前記所定面に間隔をおいて対向し、
前記第１接続部に前記第２接続部が嵌合している、ＦＰＣケーブルの接続構造。
【請求項２】
前記所定面に垂直な方向において、前記第１接続部の一部と前記第１端の一部とが重複している、請求項１に記載のＦＰＣケーブルの接続構造。
【請求項３】
前記ＦＰＣケーブルは、第１ＦＰＣケーブルであり、
前記第１ＦＰＣケーブルと同一形状の第２ＦＰＣケーブルを備え、
前記第１接続部は、前記第１ＦＰＣケーブルと前記第２ＦＰＣケーブルとで共通であり、
前記第１ＦＰＣケーブルの前記第２接続部と前記第２ＦＰＣケーブルの前記第２接続部とが一体化されている、請求項１又は２に記載のＦＰＣケーブルの接続構造。
【請求項４】
前記第１ＦＰＣケーブル及び前記第２ＦＰＣケーブルと異なる第３ＦＰＣケーブルを備え、
前記第３ＦＰＣケーブルの第１端が固定され、前記第３ＦＰＣケーブルの第２端と前記基板とが、互いに嵌合する第３接続部及び第４接続部を備えるコネクタにより接続され、
前記第３接続部は、前記第１接続部に一体化され、
前記第４接続部は、前記第３ＦＰＣケーブルの前記第２端に取り付けられ、
前記第３ＦＰＣケーブルは、自然状態において、前記第３ＦＰＣケーブルの前記第１端から前記第２端まで直線状に延びる直線状部を備え、
前記第３ＦＰＣケーブルの前記第１端は、前記基板から前記嵌合方向と反対方向へ前記所定距離の位置で固定され、
前記直線状部が前記第３ＦＰＣケーブルの前記第１端から前記基板に対して前記所定面と反対側へ延びるように、前記第３ＦＰＣケーブルの前記第１端が固定され、
前記直線状部は、前記基板に対して前記所定面と反対側へ延びた後に、前記基板に対して前記所定面側へ延びるように曲げられ、さらに前記所定面に間隔をおいて対向するように曲げられ、
前記第１ＦＰＣケーブルの前記第３部、前記第２ＦＰＣケーブルの前記第３部、及び前記直線状部における前記第４接続部との接続部が一体化され、
前記第１ＦＰＣケーブルの前記第２接続部、前記第２ＦＰＣケーブルの前記第２接続部、及び前記第３ＦＰＣケーブルの前記第４接続部が一体化されている、請求項３に記載のＦＰＣケーブルの接続構造。
【請求項５】
前記第１ＦＰＣケーブル及び前記第２ＦＰＣケーブルは、信号ケーブルであり、
前記第３ＦＰＣケーブルは、電源ケーブルである、請求項４に記載のＦＰＣケーブルの接続構造。
【請求項６】
前記所定面が上向きになるように前記基板が配置されている、請求項１〜５のいずれか１項に記載のＦＰＣケーブルの接続構造。
【発明の詳細な説明】
【技術分野】
【０００１】
本発明は、ＦＰＣ（Flexible Printed Circuit）ケーブルをコネクタにより接続する接続構造に関する。
【背景技術】
【０００２】
従来、主回路基板とパネル基板とを、フレキシブルケーブル及びコネクタを介して接続し、フレキシブルケーブルに補助プレートを取り付けた接続構造がある（特許文献１参照）。特許文献１に記載の接続構造では、補助プレートの一端が主回路基板に当たることで、フレキシブルケーブルに常に撓み余裕部を形成している。
【先行技術文献】
【特許文献】
【０００３】
【特許文献１】特許第４２５５３８６号公報
【発明の概要】
【発明が解決しようとする課題】
【０００４】
ところで、特許文献１に記載の接続構造では、フレキシブルケーブルに常に撓み余裕部を形成することで、コネクタに無理な力が作用しないようにしている。しかしながら、補助プレートの一端が主回路基板に当たっているため、補助プレートを介して主回路基板とフレキシブルケーブルとの間でノイズや静電気が伝達されるおそれがある。
【０００５】
本発明は、上記課題を解決するためになされたものであり、ＦＰＣケーブルを接続するコネクタに無理な力が作用することを抑制するとともに、ノイズや静電気の伝達を抑制することのできるＦＰＣケーブルの接続構造を提供することを主たる目的とする。
【課題を解決するための手段】
【０００６】
上記課題を解決するための第１の手段は、
第１端の固定されたＦＰＣケーブルの第２端と基板とを、互いに嵌合する第１接続部及び第２接続部を備えるコネクタにより接続する接続構造であって、
前記第１接続部は、前記第１接続部に対する前記第２接続部の嵌合方向が前記基板に平行になるように、前記基板の所定面に取り付けられ、
前記第２接続部は、前記ＦＰＣケーブルの前記第２端に取り付けられ、
前記ＦＰＣケーブルは、自然状態において、前記第１端から直線状に延びる第１部と、前記第１部から曲がった後に直線状に延びる第２部と、前記第２部から前記第１部と反対方向に曲がって前記第２端まで延びる第３部とを備え、
前記第１端は、前記基板から前記嵌合方向と反対方向へ所定距離の位置で固定され、
前記第１部が前記第１端から前記基板に対して前記所定面と反対側へ延びるように、前記第１端が固定され、
前記第１部は、前記基板に対して前記所定面と反対側へ延びた後に、前記基板に対して前記所定面側へ延びるように曲げられ、さらに前記所定面に間隔をおいて対向するように曲げられ、
前記第２部及び前記第３部は、前記所定面に間隔をおいて対向し、
前記第１接続部に前記第２接続部が嵌合している。
【０００７】
上記構成によれば、ＦＰＣケーブルの接続構造において、ＦＰＣケーブルの第１端（一端）が固定され、互いに嵌合する第１接続部及び第２接続部を備えるコネクタにより、ＦＰＣケーブルの第２端（他端）と基板とが接続される。
【０００８】
第１接続部は、第１接続部に対する第２接続部の嵌合方向が基板に平行になるように、基板の所定面に取り付けられている。第２接続部は、ＦＰＣケーブルの第２端に取り付けられている。このため、第１接続部に対する第２接続部の嵌合方向が基板に垂直になる構成と比較して、基板の所定面側に必要なＦＰＣケーブルを接続するスペースを小さくすることができる。しかしながら、第１接続部に対する第２接続部の嵌合方向が基板に平行になる構成では、基板とＦＰＣケーブルとが近付き易く、基板とＦＰＣケーブルとの間でノイズや静電気が伝達されるおそれがある。
【０００９】
そこで、ＦＰＣケーブルは、自然状態において、第１端から直線状に延びる第１部と、第１部から曲がった後に直線状に延びる第２部と、第２部から第１部と反対方向に曲がって第２端まで延びる第３部とを備えている。そして、第１端は、基板から嵌合方向と反対方向へ所定距離の位置で固定されている。第１部が第１端から基板に対して所定面と反対側へ延びるように、第１端が固定されている。第１部は、基板に対して所定面と反対側へ延びた後に、基板に対して所定面側へ延びるように曲げられ、さらに所定面に間隔をおいて対向するように曲げられている。ＦＰＣケーブルは所定の強度を有するため、基板に対して所定面と反対側から所定面側へ延びるように曲げられた第１部の形状を維持する力が発生する。このため、第１部には、第１部を所定面から離す方向の力が作用し、第１部が所定面に間隔をおいて対向した状態を維持し易くなる。
【００１０】
そして、第２部及び第３部は、所定面に間隔をおいて対向し、第１接続部に第２接続部が嵌合している。ここで、第１部に作用する力が第２部及び第３部に伝達されるため、第２部及び第３部が所定面に間隔をおいて対向した状態を維持し易くなる。このため、基板とＦＰＣケーブルとが近付くことを抑制することができ、基板とＦＰＣケーブルとの間でノイズや静電気が伝達されることを抑制することができる。ただし、第３部及び第２接続部に伝達される力が大きすぎると、コネクタに無理な力が作用し、接触不良等が生じる原因となるおそれがある。
【００１１】
この点、ＦＰＣケーブルは、自然状態において、第１端から直線状に延びる第１部と、第１部から曲がった後に直線状に延びる第２部とを備えている。このため、第３部及び第２接続部に伝達される力を、第１部及び第２部により緩和することができる。したがって、コネクタに無理な力が作用することを抑制することができる。
【００１２】
第２の手段では、前記所定面に垂直な方向において、前記第１接続部の一部と前記第１端の一部とが重複している。すなわち、所定面に垂直な方向において、第１接続部と第１端とが略等しい位置に配置されている。こうした構成では、ＦＰＣケーブルが撓むと、基板とＦＰＣケーブルとが接触し易いが、その場合であっても基板とＦＰＣケーブルとの接触を抑制することができる。
【００１３】
第３の手段では、前記ＦＰＣケーブルは、第１ＦＰＣケーブルであり、前記第１ＦＰＣケーブルと同一形状の第２ＦＰＣケーブルを備え、前記第１接続部は、前記第１ＦＰＣケーブルと前記第２ＦＰＣケーブルとで共通であり、前記第１ＦＰＣケーブルの前記第２接続部と前記第２ＦＰＣケーブルの前記第２接続部とが一体化されている。
【００１４】
上記構成によれば、ＦＰＣケーブルの接続構造は、上述したＦＰＣケーブルである第１ＦＰＣケーブルと、第１ＦＰＣケーブルと同一形状の第２ＦＰＣケーブルとを備えている。そして、第１接続部は、第１ＦＰＣケーブルと第２ＦＰＣケーブルとで共通であり、第１ＦＰＣケーブルの第２接続部と第２ＦＰＣケーブルの第２接続部とが一体化されている。このため、一体化された第２接続部を共通の第１接続部に嵌合させることにより、第１ＦＰＣケーブル及び第２ＦＰＣケーブルを基板に接続することができる。さらに、こうした構成において、ＦＰＣケーブルを接続するコネクタに無理な力が作用することを抑制するとともに、ノイズや静電気の伝達を抑制することができる。
【００１５】
第４の手段では、
前記第１ＦＰＣケーブル及び前記第２ＦＰＣケーブルと異なる第３ＦＰＣケーブルを備え、
前記第３ＦＰＣケーブルの第１端が固定され、前記第３ＦＰＣケーブルの第２端と前記基板とが、互いに嵌合する第３接続部及び第４接続部を備えるコネクタにより接続され、
前記第３接続部は、前記第１接続部に一体化され、
前記第４接続部は、前記第３ＦＰＣケーブルの前記第２端に取り付けられ、
前記第３ＦＰＣケーブルは、自然状態において、前記第３ＦＰＣケーブルの前記第１端から前記第２端まで直線状に延びる直線状部を備え、
前記第３ＦＰＣケーブルの前記第１端は、前記基板から前記嵌合方向と反対方向へ前記所定距離の位置で固定され、
前記直線状部が前記第３ＦＰＣケーブルの前記第１端から前記基板に対して前記所定面と反対側へ延びるように、前記第３ＦＰＣケーブルの前記第１端が固定され、
前記直線状部は、前記基板に対して前記所定面と反対側へ延びた後に、前記基板に対して前記所定面側へ延びるように曲げられ、さらに前記所定面に間隔をおいて対向するように曲げられ、
前記第１ＦＰＣケーブルの前記第３部、前記第２ＦＰＣケーブルの前記第３部、及び前記直線状部における前記第４接続部との接続部が一体化され、
前記第１ＦＰＣケーブルの前記第２接続部、前記第２ＦＰＣケーブルの前記第２接続部、及び前記第３ＦＰＣケーブルの前記第４接続部が一体化されている。
【００１６】
上記構成によれば、ＦＰＣケーブルの接続構造は、第１ＦＰＣケーブル及び第２ＦＰＣケーブルと異なる第３ＦＰＣケーブルを備えている。第３ＦＰＣケーブルの第１端が固定され、第３ＦＰＣケーブルの第２端と基板とが、互いに嵌合する第３接続部及び第４接続部を備えるコネクタにより接続される。
【００１７】
ここで、第３接続部は、第１接続部に一体化され、第４接続部は、第３ＦＰＣケーブルの第２端に取り付けられている。そして、第３ＦＰＣケーブルは、第１ＦＰＣケーブルの第１部に準じた直線状部を備えているが、第２部に相当する構成を備えていない。このため、第３ＦＰＣケーブルを接続するコネクタに無理な力が作用しないようにするためには、直線状部を長くする必要があるが、その場合は直線状部が撓んで基板に接触し易くなる。
【００１８】
この点、第１ＦＰＣケーブルの第３部、第２ＦＰＣケーブルの第３部、及び直線状部における第４接続部との接続部が一体化されている。このため、第１ＦＰＣケーブルの第１部及び第２ＦＰＣケーブルの第１部に作用する力が、第３部を介して直線状部に伝達される。したがって、直線状部を長くした場合であっても、直線状部が基板に接触することを抑制することができる。そして、第１ＦＰＣケーブルの第２接続部、第２ＦＰＣケーブルの第２接続部、及び第３ＦＰＣケーブルの第４接続部が一体化されている。このため、一体化された第２接続部及び第４接続部を一体化された第１接続部に嵌合させることにより、第１ＦＰＣケーブル、第２ＦＰＣケーブル、及び第３ＦＰＣケーブルを基板に接続することができる。
【００１９】
第５の手段では、前記第１ＦＰＣケーブル及び前記第２ＦＰＣケーブルは、信号ケーブルであり、前記第３ＦＰＣケーブルは、電源ケーブルである。信号ケーブルと電源ケーブルとでは、信号ケーブルに伝達されるノイズや静電気が問題となり易い。上記構成によれば、基板と信号ケーブルとが近付くことを抑制することができ、信号ケーブルにノイズや静電気が伝達されることを抑制することができる。
【００２０】
第６の手段では、前記所定面が上向きになるように前記基板が配置されている。
【００２１】
上記構成によれば、所定面が上向きになるように基板が配置されており、重力によりＦＰＣケーブルが基板の所定面に近付き易い構成において、基板とＦＰＣケーブルとが近付くことを抑制することができる。
【図面の簡単な説明】
【００２２】
【図１】基板とコネクタとＦＰＣケーブルとの位置関係を示す模式図。
【図２】第１比較例のＦＰＣケーブルの接続構造を示す模式図。
【図３】第２比較例のＦＰＣケーブルの接続構造を示す模式図。
【図４】本実施形態のＦＰＣケーブルの接続構造を示す正面斜視図。
【図５】本実施形態のＦＰＣケーブルの接続構造を示す側面斜視図。
【発明を実施するための形態】
【００２３】
以下、ＩＣタグの読取器に具現化した一実施形態について、図面を参照しつつ説明する。本実施形態のＩＣタグの読取器は、例えば店舗や倉庫などで製品等に取り付けられたＩＣタグに記憶された情報を読み取る機器として用いられる。
【００２４】
図１は、基板２０とコネクタ（第２ソケット３０ａ，第２プラグ３０ｂ）とＦＰＣケーブル１４０との位置関係を示す模式図である。同図に示すように、ＩＣタグの読取器１０は、筐体１１、第１ソケット１３、ＦＰＣケーブル１４０、基板２０、第２ソケット３０ａ、第２プラグ３０ｂ等を備えている。
【００２５】
筐体１１は、金属等により、中空の直方体状に形成されている。筐体１１の側壁には、第１ソケット１３が取り付けられている。第１ソケット１３には、ケーブルの端部に取り付けられた第１プラグ（図示略）が接続される。第１ソケット１３及び第１プラグにより、第１コネクタが構成されている。
【００２６】
筐体１１の内部には、基板２０が収納されている。基板２０は、筐体１１に固定されている。基板２０の上面２０ａ（所定面）には、第２コネクタ（コネクタ）を構成する第２ソケット３０ａが取り付けられている。第１ソケット１３と第２ソケット３０ａとは、略等しい高さに配置されている。すなわち、基板２０の上面２０ａに垂直な方向において、第１ソケット１３の一部と第２ソケット３０ａとが重複している。なお、図示は省略しているが、基板２０には、他の電子部品が実装されているとともに、配線パターンが形成されている。
【００２７】
第１ソケット１３には、ピン１３ａ，１３ｂが接続されている。ピン１３ａ，１３ｂは、水平方向（第２ソケット３０ａに対する第２プラグ３０ｂの嵌合方向と反対方向）において、基板２０から所定距離だけ離れている。ピン１３ａ，１３ｂに、ＦＰＣケーブル１４０の第１端１４１が固定されている。すなわち、ＦＰＣケーブル１４０の第１端１４１は、基板２０から上記嵌合方向と反対方向へ所定距離の位置で固定されている。基板２０の上面２０ａに垂直な方向において、第１ソケット１３の一部とＦＰＣケーブル１４０の第１端１４１の一部とが重複している。ＦＰＣケーブル１４０の第２端１４２には、第２プラグ３０ｂが取り付けられている。ＦＰＣケーブル１４０は、自然状態（力が加えられていない状態）において、第１端１４１から第２端１４２まで直線状に延びている。
【００２８】
ＦＰＣケーブル１４０が第１端１４１から基板２０に対して上面２０ａと反対側（下方）へ延びるように、ピン１３ａ，１３ｂに第１端１４１が固定されている。ＦＰＣケーブル１４０は、基板２０に対して上面２０ａと反対側へ延びた後に、基板２０に対して上面２０ａ側（上方）へ延びるように曲げられ、さらに上面２０ａに間隔をおいて対向するように曲げられている。そして、第２ソケット３０ａ（第１接続部）には、第２コネクタを構成する第２プラグ３０ｂ（第２接続部）が嵌合している。
【００２９】
ＦＰＣケーブル１４０の第２端１４２と基板２０の上面２０ａとの距離は、第２ソケット３０ａに対して第２プラグ３０ｂを嵌合させる位置に依存している。筐体１１や第１ソケット１３に接続されるケーブル（図示略）にノイズが伝わり、破線の矢印で示すように、ピン１３ａ，１３ｂ及びＦＰＣケーブル１４０を介してノイズが伝達される。このため、同図に示すように、第２ソケット３０ａに対する第２プラグ３０ｂの嵌合方向が基板２０に平行になる構成では、基板２０とＦＰＣケーブル１４０とが近付き易く、基板２０とＦＰＣケーブル１４０との間でノイズが伝達されるおそれがある。
【００３０】
図２は、第１比較例のＦＰＣケーブル２４０の接続構造を示す模式図である。同図では、ピン１３ａ，１３ｂと第２ソケット３０ａとの距離が図１の場合よりも長く、ＦＰＣケーブル２４０は図１のＦＰＣケーブル１４０よりも長くなっている。その他の構成は、図１と同様である。
【００３１】
図２では、ＦＰＣケーブル２４０が撓んでおり、基板２０の上面２０ａにＦＰＣケーブル２４０が接触している。このため、破線の矢印で示すように、ＦＰＣケーブル２４０から基板２０にノイズが伝達されるおそれがある。
【００３２】
図３は、第２比較例のＦＰＣケーブル３４０の接続構造を示す模式図である。同図では、ピン１３ａ，１３ｂと第２ソケット３０ａとの距離が図１の場合と同等であり、ＦＰＣケーブル３４０は図１のＦＰＣケーブル１４０よりも長くなっている。その他の構成は、図１と同様である。
【００３３】
図３では、ＦＰＣケーブル３４０が曲げ部３４３，３４４において大きく曲げられている。このため、ＦＰＣケーブル３４０に生じる曲げ応力が大きくなるとともに、ＦＰＣケーブル３４０から第２プラグ３０ｂに作用する力が大きくなるおそれがある。したがって、第２ソケット３０ａ及び第２プラグ３０ｂに無理な力が作用し、第２ソケット３０ａの内部の接点３０ｃで接触不良が生じたり、振動により接点３０ｃが摩耗したりするおそれがある。
【００３４】
そこで、本実施形態では、図４，５に示すＦＰＣケーブルの接続構造を採用している。図４は、本実施形態のＦＰＣケーブルの接続構造を示す正面斜視図であり、図５は、本実施形態のＦＰＣケーブルの接続構造を示す側面斜視図である。
【００３５】
図４に示すように、筐体１１、第１ソケット１３、ピン１３ａ，１３ｂ，１３ｃ、基板２０、第２コネクタ（第２ソケット３０ａ，第２プラグ３０ｂ）、及びＦＰＣケーブル１４０（以下、「第３ＦＰＣケーブル１４０」と称す）の位置関係は、図１と同様である。第３ＦＰＣケーブル１４０は、自然状態において、第３ＦＰＣケーブル１４０の第１端１４１から第２端１４２まで直線状に延びる直線状部１４３を備えている。なお、第３ＦＰＣケーブル１４０に対して、第２コネクタの第２ソケット３０ａは第３接続部に相当し、第２コネクタの第２プラグ３０ｂは第４接続部に相当する。
【００３６】
それらに加えて、本実施形態のＩＣタグの読取器１０は、第３ソケット４３、第４ソケット５３、第１ＦＰＣケーブル４０、第２ＦＰＣケーブル５０等を備えている。
【００３７】
第３ソケット４３及び第４ソケット５３は、筐体１１の側壁において第１ソケット１３の両側にそれぞれ取り付けられている。第３ソケット４３及び第４ソケット５３と第２ソケット３０ａ（第１接続部）とは、略等しい高さに配置されている。すなわち、基板２０の上面２０ａに垂直な方向において、第３ソケット４３及び第４ソケット５３の一部と第２ソケット３０ａ（第２ソケット３０ａの一部）とが重複している。
【００３８】
第３ソケット４３には、ピン４３ａ〜４３ｄ（ピン４３ａ〜４３ｃのみ図示）が接続されている。ピン４３ａ〜４３ｄは、水平方向（第２ソケット３０ａに対する第２プラグ３０ｂの嵌合方向と反対方向）において、基板２０から所定距離だけ離れている。ピン４３ａ〜４３ｄに、第１ＦＰＣケーブル４０の第１端４１が固定されている。すなわち、第１ＦＰＣケーブル４０の第１端４１は、基板２０から上記嵌合方向と反対方向へ所定距離の位置で固定されている。基板２０の上面２０ａに垂直な方向において、第２ソケット３０ａの一部と第１ＦＰＣケーブル４０の第１端４１の一部とが重複している。第１ＦＰＣケーブル４０の第２端４２には、第２プラグ３０ｂ（第２接続部）が取り付けられている。
【００３９】
第１ＦＰＣケーブル４０は、自然状態において、第１端４１から直線状に延びる第１部４４と、第１部４４から曲がった後に直線状に延びる第２部４５と、第２部４５から第１部４４と反対方向に曲がって第２端４２まで延びる第３部４６とを備えている。すなわち、第１ＦＰＣケーブル４０は、自然状態において、「Ｌ」字状（直角状）の部分を備えている。
【００４０】
図５に示すように、第１部４４が第１端４１から基板２０に対して上面２０ａと反対側（下方）へ延びるように、ピン４３ａ〜４３ｄに第１端４１が固定されている。すなわち、第１端４１は、基板２０に垂直になっている。第１部４４は、基板２０に対して上面２０ａと反対側へ延びた後に、基板２０に対して上面２０ａ側（上方）へ延びるように曲げられている。すなわち、第１部４４には、「Ｕ」字状の曲げ部が形成されている。筐体１１と「Ｕ」字状の曲げ部との間には、隙間Ｌ１が形成されている。さらに、第１部４４は、上面２０ａに間隔をおいて対向するように曲げられている。
【００４１】
そして、第１部４４に第２部４５が接続されている。第２部４５は、第１部４４から直角に曲がった後に直線状に延びている。第２部４５に第３部４６が接続されている。第３部４６は、第２部４５から第１部４４と反対方向に直角に曲がって、第２端４２まで直線状に延びている。第２部４５及び第３部４６は、上面２０ａに間隔をおいて対向している。基板２０の上面２０ａと第１部４４、第２部４５、及び第３部４６との間には、隙間Ｌ２が形成されている。そして、第２ソケット３０ａに第２プラグ３０ｂが嵌合している。
【００４２】
第４ソケット５３及び第２ＦＰＣケーブル５０は、第１ソケット１３及び第３ＦＰＣケーブル１４０に対して、第３ソケット４３及び第１ＦＰＣケーブル４０と対称に形成されている。すなわち、第２ＦＰＣケーブル５０は、第１ＦＰＣケーブル４０と同一形状である。第１ＦＰＣケーブル４０及び第２ＦＰＣケーブル５０は、信号を伝達する信号ケーブルである。第３ＦＰＣケーブル１４０は、電力を供給する電源ケーブルである。
【００４３】
そして、図４に示すように、第１ＦＰＣケーブル４０の第３部４６、第２ＦＰＣケーブル５０の第３部５６、及び第３ＦＰＣケーブル１４０の直線状部１４３における第２プラグ３０ｂとの接続部が一体化されている。第１ＦＰＣケーブル４０の第２端４２、第２ＦＰＣケーブル５０の第２端５２、及び第３ＦＰＣケーブル１４０の第２端１４２は、第２プラグ３０ｂに接続されている。すなわち、第１ＦＰＣケーブル４０、第２ＦＰＣケーブル５０、及び第３ＦＰＣケーブル１４０の接続部は一体化されており、第２プラグ３０ｂは共通の接続部となっている。
【００４４】
以上詳述した本実施形態は、以下の利点を有する。ここでは、第１ＦＰＣケーブル４０の利点を説明するが、第２ＦＰＣケーブル５０も同様の利点を有する。
【００４５】
・第２ソケット３０ａは、第２ソケット３０ａに対する第２プラグ３０ｂの嵌合方向が基板２０に平行になるように、基板２０の上面２０ａに取り付けられている。第２プラグ３０ｂは、第１ＦＰＣケーブル４０の第２端４２に取り付けられている。このため、第２ソケット３０ａに対する第２プラグ３０ｂの嵌合方向が基板２０に垂直になる構成と比較して、基板２０の上面２０ａ側に必要な第１ＦＰＣケーブル４０を接続するスペースを小さくすることができる。
【００４６】
・第１ＦＰＣケーブル４０は所定の強度を有するため、基板２０に対して上面２０ａと反対側（下方）から上面２０ａ側（上方）へ延びるように曲げられた第１部４４の形状を維持する力が発生する。このため、図５に矢印で示すように、第１部４４には、第１部４４を上面２０ａから離す方向の力が作用し、第１部４４が上面２０ａに間隔をおいて対向した状態を、維持し易くなる。
【００４７】
・第２部４５及び第３部４６は、上面２０ａに間隔をおいて対向し、第２ソケット３０ａに第２プラグ３０ｂが嵌合している。ここで、第１部４４に作用する力が第２部４５及び第３部４６に伝達されるため、第２部４５及び第３部４６が上面２０ａに間隔をおいて対向した状態を維持し易くなる。このため、基板２０と第１ＦＰＣケーブル４０とが近付くことを抑制することができ、基板２０と第１ＦＰＣケーブル４０との間でノイズや静電気が伝達されることを抑制することができる。
【００４８】
・第１ＦＰＣケーブル４０は、自然状態において、第１端４１から直線状に延びる第１部４４と、第１部４４から曲がった後に直線状に延びる第２部４５とを備えている。このため、第３部４６及び第２プラグ３０ｂに伝達される力を、第１部４４及び第２部４５により緩和することができる。したがって、第２コネクタ（第２ソケット３０ａ，第２プラグ３０ｂ）に無理な力が作用することを抑制することができる。
【００４９】
・上面２０ａに垂直な方向において、第２ソケット３０ａの一部と第１端４１の一部とが重複している。すなわち、上面２０ａに垂直な方向において、第２ソケット３０ａと第１端４１とが略等しい位置に配置されている。こうした構成では、第１ＦＰＣケーブル４０が撓むと、基板２０と第１ＦＰＣケーブル４０とが接触し易いが、その場合であっても基板２０と第１ＦＰＣケーブル４０との接触を抑制することができる。
【００５０】
・ＦＰＣケーブル４０，５０の接続構造は、第１ＦＰＣケーブル４０と、第１ＦＰＣケーブル４０と同一形状の第２ＦＰＣケーブル５０とを備えている。そして、第２ソケット３０ａは、第１ＦＰＣケーブル４０と第２ＦＰＣケーブル５０とで共通であり、第１ＦＰＣケーブル４０の第２プラグ３０ｂと第２ＦＰＣケーブル５０の第２プラグ３０ｂとが一体化されている。このため、一体化された第２プラグ３０ｂを共通の第２ソケット３０ａに嵌合させることにより、第１ＦＰＣケーブル４０及び第２ＦＰＣケーブル５０を基板２０に接続することができる。さらに、こうした構成において、ＦＰＣケーブル４０，５０を接続する第２コネクタに無理な力が作用することを抑制するとともに、ノイズや静電気の伝達を抑制することができる。
【００５１】
・第１ＦＰＣケーブル４０の第３部４６、第２ＦＰＣケーブル５０の第３部５６、及び直線状部１４３における第２プラグ３０ｂとの接続部が一体化されている。このため、第１ＦＰＣケーブル４０の第１部４４及び第２ＦＰＣケーブル５０の第１部５４に作用する力が、第３部４６，５６を介して直線状部１４３に伝達される。このため、直線状部１４３に基板２０の上面２０ａから離す方向の力が作用する。したがって、直線状部１４３を長くした場合であっても、直線状部１４３が基板２０に接触することを抑制することができる。そして、ＦＰＣケーブル４０，５０，１４０において、第２プラグ３０ｂが一体化されている。このため、一体化された第２プラグ３０ｂを一体化された第２ソケット３０ａに嵌合させることにより、第１ＦＰＣケーブル４０、第２ＦＰＣケーブル５０、及び第３ＦＰＣケーブル１４０を基板２０に接続することができる。
【００５２】
・第１ＦＰＣケーブル４０及び第２ＦＰＣケーブル５０は、信号ケーブルであり、第３ＦＰＣケーブル１４０は、電源ケーブルである。信号ケーブルと電源ケーブルとでは、信号ケーブルに伝達されるノイズや静電気が問題となり易い。本実施形態によれば、特に基板２０と信号ケーブルとが近付くことを抑制することができ、信号ケーブルにノイズや静電気が伝達されることを抑制することができる。
【００５３】
・上面２０ａが上向きになるように基板２０が配置されており、重力により第１ＦＰＣケーブル４０が基板２０の上面２０ａに近付き易い構成において、基板２０と第１ＦＰＣケーブル４０とが近付くことを抑制することができる。
【００５４】
・読取器１０にＦＰＣケーブル４０，５０，１４０を組み付ける際に、図４，５に示す形状にするだけでよく、作業者は容易に組み付けを行うことができる。このため、作業者の熟練度にかかわらず、上述した作用効果を奏することができる。
【００５５】
なお、上記実施形態を、以下のように変更して実施することもできる。上記実施形態と同一の部分については、同一の符号を付すことにより説明を省略する。
【００５６】
・基板２０の上面２０ａ（所定面）が水平向きや下向きになるように、基板２０（読取器１０）を配置することもできる。その場合であっても、上記実施形態と同様の作用効果を奏することができる。
【００５７】
・上面２０ａに垂直な方向において、第２ソケット３０ａと第１端４１とが略等しい位置に配置されていない構成を採用することもできる。その場合、第２ソケット３０ａと第１端４１との位置に応じて、第１ＦＰＣケーブル４０の第１部４４の長さを調節すればよい。
【００５８】
・読取器１０が、第２ＦＰＣケーブル５０を備えず、信号ケーブルである第１ＦＰＣケーブル４０及び電源ケーブルである第３ＦＰＣケーブル１４０のみを備えていてもよい。その場合、第３ＦＰＣケーブル１４０を、第２ＦＰＣケーブル５０と同様の構成にするとよい。
【００５９】
・ＩＣタグの読取器１０の基板２０に限らず、他の装置の基板とＦＰＣケーブルとを接続する接続構造に上記実施形態を適用することもできる。
【符号の説明】
【００６０】
１１…筐体、１３…第１ソケット、１３ａ…ピン、１３ｂ…ピン、１３ｃ…ピン、２０…基板、２０ａ…上面（所定面）、３０ａ…第２ソケット（第１接続部、第３接続部）、３０ｂ…第２プラグ（第２接続部、第４接続部）、４０…第１ＦＰＣケーブル（ＦＰＣケーブル）、４１…第１端、４２…第２端、４３…第３ソケット、４３ａ…ピン、４３ｂ…ピン、４３ｃ…ピン、４４…第１部、４５…第２部、４６…第３部、５０…第２ＦＰＣケーブル（ＦＰＣケーブル）、５２…第２端、５３…第４ソケット、５６…第３部、１４０…第３ＦＰＣケーブル、１４１…第１端、１４２…第２端、１４３…直線状部、２４０…ＦＰＣケーブル、３４０…ＦＰＣケーブル。
【図１】
2019102472.tif 000003
【図２】
2019102472.tif 000004
【図３】
2019102472.tif 000005
【図４】
2019102472.tif 000006
【図５】
2019102472.tif 000007